(57)【要約】【課題】人やペットに安全に対する有害物を含まず、かつ、ナメクジを効果的に駆除し得るナメクジ駆除装置を提供する。【解決手段】不導体により形成した台板１の上面には、外側導体３を周状に配設し、該外側導体の内側には内側導体５を該外側導体との間に隙間７を設けた状態で周状に配設し、該外側導体と該内側導体とを同一の電源９に接続することにより常時開の回路１５を形成し、該台板の上面における該内側導体の内側にはナメクジ１１を誘引するための餌１３を載置し、ナメクジが該外側導体と該内側導体とに同時に乗ったときに該ナメクジを介して該回路が閉じ、該ナメクジが感電死するようにしたことを特徴とするナメクジ駆除装置。【選択図】図１
0003179871.tif 000002
【実用新案登録請求の範囲】
【請求項１】
不導体により形成した台板の上面には、外側導体を周状に配設し、該外側導体の内側には内側導体を該外側導体との間に隙間を設けた状態で周状に配設し、該外側導体と該内側導体とを同一の電源に接続することにより常時開の回路を形成し、該台板の上面における該内側導体の内側にはナメクジを誘引するための餌を載置し、ナメクジが該外側導体と該内側導体とに同時に乗ったときに該ナメクジを介して該回路が閉じ、該ナメクジが感電死するようにしたことを特徴とするナメクジ駆除装置。
【請求項２】
前記外側導体と内側導体とをそれぞれアルミニウム箔により形成したことを特徴とする請求項１に記載のナメクジ駆除装置。
【請求項３】
前記回路にはランプを配設したことを特徴とする請求項１又は２に記載のナメクジ駆除装置。
【考案の詳細な説明】
【技術分野】
【０００１】
本考案は、ナメクジ駆除装置に関するものである。
【背景技術】
【０００２】
ナメクジは、人家の周辺、農地、空き地等に生息し、農作物、園芸植物等に害を及ぼすものである。また、ナメクジは、その外観により人に不快感を与えるのみならず、寄生虫、病原菌等により人に害をなすこともある。したがって、ナメクジは駆除すべきものである。
【０００３】
ナメクジを駆除する手段としては、例えば特許第２９７２３３６号公報等に開示されているようなメタアルデヒドを含有するナメクジ駆除剤が既に知られている。
【先行技術文献】
【特許文献】
【０００４】
【特許文献１】特許第２９７２３３６号公報
【考案の概要】
【考案が解決しようとする課題】
【０００５】
しかるに、上記の如きナメクジ駆除剤は、ナメクジを効果的に駆除し得るものではあるが、人やペットに有害であるという問題がある。
【０００６】
本考案は、上記の如きナメクジ駆除剤における上述の問題を解決し、人やペットに安全であり、かつ、ナメクジを効果的に駆除し得るナメクジ駆除装置を提供しようとしてなされたものである。
【課題を解決するための手段】
【０００７】
上記課題を解決するために、本考案は下記のナメクジ駆除装置を提供するものである。
【０００８】
（１）不導体により形成した台板の上面には、外側導体を周状に配設し、該外側導体の内側には内側導体を該外側導体との間に隙間を設けた状態で周状に配設し、該外側導体と該内側導体とを同一の電源に接続することにより常時開の回路（電気回路）を形成し、該台板の上面における該内側導体の内側にはナメクジを誘引するための餌を載置し、ナメクジが該外側導体と該内側導体とに同時に乗ったときに該ナメクジを介して該回路が閉じ、該ナメクジが感電死するようにしたことを特徴とするナメクジ駆除装置（請求項１）。
【０００９】
（２）前記外側導体と内側導体とをそれぞれアルミニウム箔により形成する（請求項２）。
【００１０】
（３）前記回路にはランプを配設する（請求項３）。
【００１１】
なお、本願において、「導体」とは電気伝導体をいい、「不導体」とは電気を通さないものをいう。
【考案の効果】
【００１２】
［請求項１の考案］
ナメクジ駆除装置をナメクジの生息場所近傍に設置したときには、ナメクジは台板上面における内側導体の内側に載置された餌に誘引されて台板に登り、該餌に接近しようとして外側導体と内側導体とに同時に乗る。しかるときは、該ナメクジを介して常時開の回路が閉じ、該回路に電流が流れ、該ナメクジが感電死する。すなわち、単にナメクジ駆除装置をナメクジの生息場所近傍に設置することにより、ナメクジを容易、かつ、確実に駆除することができる。
【００１３】
また、ナメクジ駆除装置は人やペットに対する有害物を含まない。更に、ナメクジ駆除装置は構造が簡単であり、安価に提供することができる。
【００１４】
［請求項２の考案］
外側導体と内側導体とを形成するアルミニウム箔は、安価であり、かつ、電気伝導率が高い。また、アルミニウム箔は台板上に容易に固定することができる。
【００１５】
［請求項３の考案］
前記回路にはランプが配設されているが、このランプはヒューズの働きをなす。すなわち、該回路が短絡したときには、該ランプが点灯して過電流を防止し、該回路の過熱を防ぐ。因みに、該回路にヒューズを配設したときには、短絡時に該ヒューズは切れてしまい、該ヒューズを交換する必要が生ずる。
【図面の簡単な説明】
【００１６】
【図１】図１は、本考案によるナメクジ駆除装置の一例を示す平面図である。
【図２】図２は、同上ナメクジ駆除装置において、ナメクジが感電している状態を示す断面図である。
【図３】図３は、同上ナメクジ駆除装置の別の断面図である。
【図４】図４は、本考案によるナメクジ駆除装置の別の一例を示す平面図である。
【考案を実施するための形態】
【００１７】
符号１に示すものは、本考案によるナメクジ駆除装置の台板である。台板１  は、合成樹脂等の不導体により形成する。台板１は、一例として、薄い板状に形成する。
【００１８】
台板１の上面には、外側導体３を周状に配設し、該外側導体３の内側には内側導体５を該外側導体３との間に隙間７を設けた状態で周状に配設する。すなわち、一例として、図１、図４に示すように、外側導体３と内側導体５とは、それぞれ長方形状の枠状に形成する。
【００１９】
外側導体３と内側導体５とは、好ましくは、それぞれアルミニウム箔により形成する。アルミニウム箔は、厚さ０．００６ｍｍ〜０．２ｍｍのアルミニウム圧延素材である。なお、外側導体３と内側導体５とをアルミニウム箔以外の金属の薄板により形成しても差し支えない。
【００２０】
外側導体３と内側導体５とを同一の電源９に接続することにより常時開の回路１５を形成する。電源９としては、好ましくは電池を使用する。電池の出力は、一例として、１２Ｖとする。なお、交流電力を整流器（ＡＣ−ＤＣコンバータ）により直流電力（例えば１２Ｖ）に変換して使用しても差し支えない。
【００２１】
台板１の上面における内側導体５の内側にはナメクジ１１を誘引するための餌１３を載置する。餌１３としては、一例として生サツマイモを用いる。
【００２２】
ナメクジ１１が外側導体３と内側導体５とに同時に乗ったときに該ナメクジ１１を介して常時開の回路１５が閉じ、該ナメクジ１１が感電死するようになす。
【００２３】
外側導体３と内側導体５とを電源９に接続するに当っては、一例として、図１、図３に示すように、外側導体３と内側導体５とにはそれぞれ端子１７、１９を備えさせ、電源９に接続した電線２１をクリップ２３、２５に接続し、各クリップ２３、２５に各端子１７、１９を挟持させる。なお、図示の事例においては、端子１７、１９として、それぞれ外側導体３ないし内側導体５と台板１とを上下に貫通するボルト２７、２９を用いている。符号３１（３３）に示すものはナットである。図３参照。なお、各クリップ２３、２５による端子１７、１９の挟持を解除したときには、回路１５が開く。
【００２４】
好ましくは、常時開の回路１５にはランプ３５を配設する。
【００２５】
図４に示す事例においては、クリップ２３、２５を用いることなく電線２１を各端子に接続し、回路１５にＯＮ−ＯＦＦスイッチ３７を備えさせている。
【符号の説明】
【００２６】
１  台板
３  外側導体
５  内側導体
７  隙間
９  電源
１１  ナメクジ
１３  餌
１５  回路
１７  端子
１９  端子
２１  電線
２３  クリップ
２５  クリップ
２７  ボルト
２９  ボルト
３１  ナット
３３  ナット
３５  ランプ
３７  スイッチ
【図１】
0003179871.tif 000003
【図２】
0003179871.tif 000004
【図３】
0003179871.tif 000005
【図４】
0003179871.tif 000006